(57)【要約】【課題】太陽電池モジュールが取り付けられた屋根の軒先部において屋根換気を効果的に行うことのできる、新しい換気モジュールを提供する。【解決手段】横フレーム部材（１１１）および縦フレーム部材（１１０）に換気モジュール本体（１０）が装着されてなり、換気モジュール本体（１０）は、その任意の一部分が内側に屈折されて形成された換気口（１３）を複数有する上板部（１１）と、上板部（１１）下方において空気の流れを形成する下板部（１２）と、屋根通気層内へ空気を排気する換気口（１４）とを備えている。【選択図】　　図１
2004003334.tif 000002
【特許請求の範囲】
【請求項１】
太陽電池モジュールが取り付けられた屋根の軒先部において屋根換気を行う換気モジュールであって、横フレーム部材および縦フレーム部材に換気モジュール本体が装着されてなり、換気モジュール本体は、その任意の一部分が内側に屈折されて形成された換気口を複数有する上板部と、上板部下方において空気の流れを形成する下板部と、屋根通気層内へ空気を排気する換気口とを備えていることを特徴とする換気モジュール。
【発明の詳細な説明】
【０００１】
【発明の属する技術分野】
この出願の発明は、換気モジュールに関するものである。さらに詳しくは、この出願の発明は、太陽電池モジュールが取り付けられた屋根に有用な、屋根軒先部における屋根換気を効果的に行うことのできる、新しい換気モジュールに関するものである。
【０００２】
【従来の技術】
地球環境問題への関心の高まりとともに、自然エネルギーを利用した新エネルギー技術のひとつとして、太陽光発電システムが改めて注目され、その実用化が加速されてきている。この太陽光発電システムでは、太陽電池によって太陽光エネルギーが電力に変換されることを特徴としている。
【０００３】
この太陽電池は、通常、その四方辺端部がフレーム部材に装着されることにより、モジュール化されており、たとえば、フレーム部材が野地板等の屋根部材上に配設された架台レールなどに固定されて、住宅等の屋根上に設置される。
【０００４】
【発明が解決しようとする課題】
しかしながら、このように太陽電池モジュールが設置されている屋根については、屋根換気を容易に行うことができないといった問題が実情としてあった。
【０００５】
そこで、この出願の発明は、以上のとおりの事情に鑑みてなされたものであり、従来技術の問題点を解消し、屋根の外観を損ねることなく、屋根換気を効果的に行うことのできる、新しい換気モジュールを提供することを課題としている。
【０００６】
【課題を解決するための手段】
この出願の発明は、上記の課題を解決するものとして、第１には、太陽電池モジュールが取り付けられた屋根の軒先部において屋根換気を行う換気モジュールであって、横フレーム部材および縦フレーム部材に換気モジュール本体が装着されてなり、換気モジュール本体は、その任意の一部分が内側に屈折されて形成された換気口を複数有する上板部と、上板部下方において空気の流れを形成する下板部と、屋根通気層内へ空気を排気する換気口とを備えていることを特徴とする太陽電池屋根の換気モジュールを提供する。
【０００７】
【発明の実施の形態】
以下、添付した図面に沿って実施例を示し、この出願の発明の実施の形態についてさらに詳しく説明する。
【０００８】
【実施例】
図１および図２は、各々、太陽電池モジュールが取り付けられた屋根の軒先部において屋根換気を行うこの出願の発明の換気モジュールの一実施例を示したものである。
【０００９】
換気モジュールは、横フレーム部材（１１１）および縦フレーム部材（１１０）に太陽電池（１００）の軒・棟側端部および左右両端部が装着されてなる太陽電池モジュール（図３参照）と同一形状の、横フレーム部材（１１１）および縦フレーム部材（１１０）（図１，２には図示なし）に換気モジュール本体（１０）が装着されてなるものであり、横フレーム部材（１１１）は取付支持部材（２６０）により屋根面に取付け支持されている。
【００１０】
横フレーム部材（１１１）および縦フレーム部材（１１０）は、換気モジュール本体（１０）の端部が嵌合される嵌合部を備えている。
【００１１】
換気モジュール本体（１０）は、上板部（１１）および下板部（１２）を備えており、上板部（１１）は、その任意の一部分が内側に屈折されて形成された吸気用の換気口（１３）を複数個有し、且つ、その軒側部分に排気用の換気口（１４）を有している。この換気口（１３）および（１４）は、たとえば図２に例示したように、上方から見ると、複数のスリット状の開口となっている。また、下板部（１２）は、屋根の勾配に対応して複数屈折した形状を有しており、上板部（１１）の下方において空気の流れを形成する。
【００１２】
さらにまた、換気モジュール本体（１０）は、その棟側部分に排気用の換気口（１５）をも備えている（図１参照）。
【００１３】
この換気モジュールでは、換気モジュール本体（１０）における吸気用の換気口（１３）において屋外から空気が、上板部（１１）および下板部（１２）により形成される空間に入り込み、軒側部分の排気用の換気口（１４）において屋外に空気が排出され、また、棟側部分における別の排気用の換気口（１５）では、空気が、太陽電池（１００）と下葺き材（２１０）との間に形成されている空間に排出されて、屋根の換気が行われる。
【００１４】
このような屋根面給排気を行って換気を行うこの出願の発明の換気モジュールは、太陽電池モジュールと同一形状とすることにより、太陽電池モジュールとの一体感が生じ、屋根の外観が損なわれてしまうことを防ぎ、また、軒先を換気のために開口する必要がないため、屋根の防火性および防水性を損なわずに、屋根換気を行うことができる。
【００１５】
なお、太陽電池（１００）と下葺き材（２１０）等の屋根下地材との間に形成されている空間は通気層として機能するため、上記のように棟側部分の排気用の換気口（１５）において排出された空気は、通気層を棟方向に流れ、そして、たとえば図４に例示したように、棟に設置されている棟換気部材（２５０）から、屋外へ排出される。
【００１６】
通常、屋根上に太陽電池モジュールが配設されると、その屋根下地材からの高さは、平板瓦（２２０）が配設された場合の高さよりも高くなる。よって、上記のように通気層内の排気を行う棟換気部材（２５０）は、このように太陽電池モジュールが配設された場合における高さ寸法等に併せて、太陽電池モジュール配設側の側部が短く、その端部が太陽電池モジュールのカバー部材（１０１）の上面に接するようになっている。逆に、平板瓦（２２０）配設側の側部は、その端部が平板瓦（２２０）の上面に接するように長くなっており、また、太陽電池モジュール配設側の側部の高さと釣り合うように笠木（２４０）が設けられてもいる。
【００１７】
このような棟換気部材（２５０）によって通気層内の排気を実施するため、別途排気用開口部等を必要としないので、屋根表面前面で一次防水を図ることができ、また屋根裏面の板金も不要となる。また、棟換気部材（２５０）と太陽電池モジュールおよび換気モジュールとを一体感のあるデザインを有するようにすることができ、屋根の意匠性を向上させることができる。
【００１８】
【発明の効果】
以上詳しく説明した通り、この出願の発明の太陽電池屋根の換気モジュールによって、屋根の軒先部における屋根換気を、軒先部における優れた防火性および防水性を維持しながら、効果的に行うことができ、他のモジュールとの一体感のあるデザインで屋根の外観を損ねることもなく、意匠性を向上させることができる。
【図面の簡単な説明】
【図１】この出願の発明の換気モジュールの一実施例を示した断面図である。
【図２】換気モジュールを例示した平面図である。
【図３】太陽電池モジュールを例示した平面図である。
【図４】棟換気部材を例示した断面図である。
【符号の説明】
１０　換気モジュール本体
１１　上板部
１２　下板部
１３、１４、１５　換気口
１６　補強リブ
１００　太陽電池
１０１　カバー部材
１１０　縦フレーム部材
１１１　横フレーム部材
２００　野地板
２１０　下葺き材
２２０　平板瓦
２３０　軒樋
２４０　笠木
２５０　棟換気部材
２６０　取付支持部材
【図１】
2004003334.tif 000003
【図２】
2004003334.tif 000004
【図３】
2004003334.tif 000005
【図４】
2004003334.tif 000006